(57)【要約】【課題】スクリーンを手動で操作することができる遮光装置を提供することが一つの目的である。【解決手段】遮光装置１０は、駆動モータ１４と、駆動モータ１４と駆動力伝達機構１６を介して接続され駆動モータ１４の駆動力を受けて作動するアーム１８と、アーム１８と接続されアーム１８の作動に伴って展開及び格納されるスクリーン２２と、駆動モータ１４と駆動力伝達機構１６との間に設けられ設定トルクを超えるトルクが作用した場合に駆動モータ１４と駆動力伝達機構１６との接続を遮断するクラッチ機構５４とを備えている。【選択図】図２
2015047922.tif 000002
【特許請求の範囲】
【請求項１】
駆動モータと、
前記駆動モータと駆動力伝達機構を介して接続され、前記駆動モータの駆動力を受けて作動するアームと、
前記アームと接続され、前記アームの作動に伴って展開及び格納されるスクリーンと、
前記駆動モータと前記駆動力伝達機構との間に設けられ、設定トルクを超えるトルクが作用した場合に前記駆動モータと前記駆動力伝達機構との接続を遮断するクラッチ機構と、
を備えた遮光装置。
【請求項２】
前記クラッチ機構は、
係合部を有し、前記駆動モータの出力軸に設けられた出力部材と、
前記係合部と係合された被係合部を有すると共に、前記駆動力伝達機構と連結され、前記出力部材と同軸上に設けられた駆動部材と、
前記出力部材及び前記駆動部材の一方を他方側に押圧する弾性部材と、
を有している、
請求項１に記載の遮光装置。
【請求項３】
前記駆動力伝達機構は、前記駆動部材と前記アームとの間に設けられたリンク機構であり、
前記リンク機構は、前記スクリーンの横幅方向に延びると共に、前記駆動部材における回転中心部よりも外側にずれた位置に連結され、前記駆動部材の往復回動に伴い前記スクリーンの横幅方向に往復動されるリンクロッドを有し、
前記リンクロッドにおける前記駆動部材側の端部は、前記駆動部材の往復回動に伴って前記スクリーンの横幅方向に前記駆動部材とオーバーラップする状態と前記駆動部材に対して前記スクリーンの横幅方向にずれた状態とに変化され、
前記リンクロッドにおける前記駆動部材側の端部には、該端部が前記スクリーンの横幅方向に前記駆動部材とオーバーラップする状態において前記駆動部材の外周縁に沿って配置される湾曲部が形成されている、
請求項２に記載の遮光装置。
【発明の詳細な説明】
【技術分野】
【０００１】
本発明は、遮光装置に関する。
【背景技術】
【０００２】
従来、駆動モータと、駆動モータと駆動力伝達機構を介して接続されたアームと、アームと接続されたスクリーンとを備えた遮光装置がある（例えば、特許文献１参照）。この遮光装置では、駆動モータが駆動すると、この駆動モータの駆動力を受けてアームが作動されると共に、このアームの作動に伴ってスクリーンが展開又は格納される。
【先行技術文献】
【特許文献】
【０００３】
【特許文献１】特開２０１０−１７９６９９号公報
【発明の概要】
【発明が解決しようとする課題】
【０００４】
しかしながら、この遮光装置では、駆動モータを駆動させた場合のみスクリーンが展開又は格納されるようになっている。このため、例えばスクリーンを手動で操作することができないという不都合があった。
【０００５】
そこで、本発明は、一例として、スクリーンを手動で操作することができる遮光装置を提供することを目的とする。
【課題を解決するための手段】
【０００６】
上記目的を達成するために、請求項１に記載の遮光装置は、駆動モータと、前記駆動モータと駆動力伝達機構を介して接続され、前記駆動モータの駆動力を受けて作動するアームと、前記アームと接続され、前記アームの作動に伴って展開及び格納されるスクリーンと、前記駆動モータと前記駆動力伝達機構との間に設けられ、設定トルクを超えるトルクが作用した場合に前記駆動モータと前記駆動力伝達機構との接続を遮断するクラッチ機構と、を備えている。
【０００７】
この遮光装置によれば、駆動モータと駆動力伝達機構との間には、クラッチ機構が設けられており、このクラッチ機構では、設定トルクを超えるトルクが作用した場合に動力伝達が遮断される。従って、例えば、スクリーンに一定以上の操作荷重が加えられた場合には、クラッチ機構が遮断されるので、スクリーンを手動で操作することができる。
【０００８】
請求項２に記載の遮光装置は、請求項１に記載の遮光装置において、前記クラッチ機構が、係合部を有し前記駆動モータの出力軸に設けられた出力部材と、前記係合部と係合された被係合部を有すると共に前記駆動力伝達機構と連結され前記出力部材と同軸上に設けられた駆動部材と、前記出力部材及び前記駆動部材の一方を他方側に押圧する弾性部材とを有する構成とされている。
【０００９】
この遮光装置によれば、クラッチ機構に設定トルクを超えるトルクが作用すると、弾性部材の弾性力に抗して出力部材及び駆動部材の一方が他方に対して離間され、係合部及び被係合部の係合状態が解除される。これにより、出力部材と駆動部材との間の動力伝達を遮断することができる。
【００１０】
請求項３に記載の遮光装置は、請求項２に記載の遮光装置において、前記駆動力伝達機構が、前記駆動部材と前記アームとの間に設けられたリンク機構であり、前記リンク機構が、前記スクリーンの横幅方向に延びると共に前記駆動部材における回転中心部よりも外側にずれた位置に連結され前記駆動部材の往復回動に伴い前記スクリーンの横幅方向に往復動されるリンクロッドを有し、前記リンクロッドにおける前記駆動部材側の端部が、前記駆動部材の往復回動に伴って前記スクリーンの横幅方向に前記駆動部材とオーバーラップする状態と前記駆動部材に対して前記スクリーンの横幅方向にずれた状態とに変化され、前記リンクロッドにおける前記駆動部材側の端部に、該端部が前記スクリーンの横幅方向に前記駆動部材とオーバーラップする状態において前記駆動部材の外周縁に沿って配置される湾曲部が形成された構成とされている。
【００１１】
この遮光装置によれば、リンクロッドにおける駆動部材側の端部には、湾曲部が形成されており、この湾曲部は、リンクロッドにおける駆動部材側の端部がスクリーンの横幅方向に駆動部材とオーバーラップする状態において駆動部材の外周縁に沿って配置される。従って、リンクロッドにおける駆動部材側の端部がスクリーンの横幅方向に駆動部材とオーバーラップする状態において、このリンクロッドにおける駆動部材側の端部が駆動部材の径方向外側に張り出すことを抑制することができる。これにより、遮光装置の小型化を図ることができる。
【図面の簡単な説明】
【００１２】
【図１】本発明の一実施形態に係る遮光装置においてスクリーンを格納させた状態を示す図である。
【図２】図１に示されるスクリーンを展開させた状態を示す図である。
【図３】図１に示される遮光装置における駆動モータ周辺部の要部拡大図である。
【図４】図２に示される遮光装置における駆動モータ周辺部の要部拡大図である。
【図５】図３の５−５線断面図でありクラッチ機構が接続された状態を示す図である。
【図６】図５に示されるクラッチ機構が遮断された状態を示す図である。
【図７】図５，図６に示される出力ギアの二面図である。
【発明を実施するための形態】
【００１３】
以下、図面に基づき、本発明の一実施形態について説明する。
【００１４】
図１，図２に示される本発明の一実施形態に係る遮光装置１０は、例えば、乗用自動車等の車両に備えられたリアガラスを遮光するためのものであり、ベース部材１２と、駆動モータ１４と、駆動力伝達機構１６と、一対のアーム１８と、巻取機構２０と、スクリーン２２とを備えている。
【００１５】
ベース部材１２は、パイプにより構成されており、駆動モータ１４は、ベース部材１２の長手方向中央部に固定されている。駆動モータ１４の出力軸には、後述するクラッチ機構５４を構成する出力プレート２４が接続されている。出力プレート２４は、その長手方向中央部を中心に回転する。
【００１６】
駆動力伝達機構１６は、一対のリンクロッド２６と一対のレバー２８を有するリンク機構とされている。一対のリンクロッド２６は、それぞれスクリーン２２の横幅方向（矢印Ｗ方向）に延びており、このスクリーン２２の横幅方向に並んで設けられている。各リンクロッド２６の一端部は、出力プレート２４の長手方向両端部（回転中心部よりも外側にずれた位置）にそれぞれ回動可能に連結されており、各リンクロッド２６の他端部は、レバー２８の回動端とそれぞれ回動可能に連結されている。各レバー２８は、後述するロアアーム３２の基端部から延出されている。
【００１７】
一対のアーム１８は、それぞれアッパアーム３０とロアアーム３２を有している。各アッパアーム３０の基端部は、ロアアーム３２の先端部とジョイント３４を介して回動可能に連結されており、各アッパアーム３０の先端部は、後述するスクリーン支持部材４４の長手方向両端部とそれぞれ回動可能に連結されている。また、各ロアアーム３２の基端部は、ベース部材１２の長手方向両端側に設けられた第一ブラケット３６によってそれぞれ回動可能に支持されている。
【００１８】
巻取機構２０は、ベース部材１２の長手方向両端側に第一ブラケット３６と共に設けられた一対の第二ブラケット３８に固定されている。この巻取機構２０は、支持軸４０と、この支持軸４０に回転可能に支持されてスクリーン２２を巻き取るための巻取部材４２と、この巻取部材４２を支持軸４０に対して回転方向に付勢するバネ（不図示）等を有して構成されている。
【００１９】
スクリーン２２は、遮光性を有する台形状のシート材により形成されている。このスクリーン２２の基端側の端部は、巻取部材４２に固定されており、スクリーン２２の展開側の端部には、スクリーン支持部材４４が設けられている。スクリーン支持部材４４は、スクリーン２２の展開側の端部に沿って設けられており、このスクリーン２２を横幅方向に広げた状態に支持している。
【００２０】
そして、図２に示されるように、この遮光装置１０は、次のように動作する。すなわち、駆動モータ１４が正転し、出力プレート２４がＲ１方向に回動されると、一対のリンクロッド２６がスクリーン２２の横幅方向内側に向けてスライドし、各レバー２８がＲ３方向に回動される。また、各レバー２８がＲ３方向に回動されると、各ロアアーム３２がＲ５方向に回動されると共に、アッパアーム３０がＲ７方向に回動されて、スクリーン２２が上側に引っ張られ、スクリーン２２が巻取機構２０から引き出される。
【００２１】
また、このときには、巻取機構２０によってスクリーン２２が巻き取られる方向に引っ張られる。従って、スクリーン２２は常にテンションが掛かった状態で展張される。さらに、レバー２８の先端側とベース部材１２との間には、アシストスプリング４６が設けられており、ロアアーム３２には、アシストスプリング４６によってＲ５方向へアシスト力が付与される。そして、一対のアーム１８が駆動モータ１４の駆動力を受けて直線状に延びた状態になるまで作動すると、スクリーン２２が展開された状態になる。
【００２２】
一方、スクリーン２２が展開された状態から駆動モータ１４が反転し、出力プレート２４がＲ２方向に回動されると、一対のリンクロッド２６がスクリーン２２の横幅方向外側に向けてスライドし、各レバー２８がＲ４方向に回動される。また、各レバー２８がＲ４方向に回動されると、各ロアアーム３２がＲ６方向に回動されると共に、各アッパアーム３０がＲ８方向に回動される。そして、一対のアーム１８が駆動モータ１４の駆動力を受けて屈曲した状態になるまで作動すると、スクリーン２２が巻取機構２０に巻き取られて格納された状態とされる（図１参照）。
【００２３】
次に、本発明の一実施形態に係る遮光装置１０の特徴部分をより詳細に説明する。
【００２４】
図３，図４に示されるように、駆動モータ１４は、モータ本体４８と、このモータ本体４８の回転軸に設けられたウォーム５０と、このウォーム５０と噛合されたウォームホイール５２とを有している。この駆動モータ１４と出力プレート２４との間には、クラッチ機構５４が設けられている。クラッチ機構５４は、図５，図６に示されるように、上述の駆動部材の一例である出力プレート２４に加えて、出力部材の一例である出力ギア５６と、カバープレート５８と、弾性部材の一例であるコイルスプリング６０とを有している。
【００２５】
出力ギア５６は、上述のウォームホイール５２における軸方向一方側の面に一体に形成されている。この出力ギア５６は、ウォームホイール５２と同軸上に設けられており、駆動モータ１４の出力軸６２にウォームホイール５２と共に固定されている。駆動モータ１４には、モータブラケット６４が設けられており、出力ギア５６は、このモータブラケット６４に形成された孔部６６に挿入されている。この出力ギア５６における軸方向一方側には、出力ギア５６の径方向視にて三角形状を成す複数の係合部６８が形成されている。この複数の係合部６８は、出力ギア５６の周方向に沿って環状に配列されている（図７参照）。
【００２６】
出力プレート２４は、出力ギア５６の軸方向一方側に出力ギア５６と同軸上に設けられている。この出力プレート２４における出力ギア５６側には、出力プレート２４の径方向視にて三角形状を成す複数の被係合部７０が形成されている。この複数の被係合部７０は、上述の複数の係合部６８と同様に、出力プレート２４における回転中心部の周囲に環状に配列されている。また、この出力プレート２４は、リンクロッド２６と共に出力ギア５６側と反対側に移動し得るようになっている。
【００２７】
カバープレート５８は、モータブラケット６４に対して立設された一対の脚部７２と、この一対の脚部７２の上端部を連結する連結部７４とを有している。連結部７４は、出力プレート２４に対する出力ギア５６側と反対側に位置されている。連結部７４には、出力プレート２４側に突出する平面視にて円形状の凸部７６が形成されている。同様に、出力プレート２４には、連結部７４側に突出する平面視にて円形状の凸部７８が形成されている。この一対の凸部７６，７８は、出力プレート２４及び出力ギア５６と同軸上に設けられている。
【００２８】
コイルスプリング６０は、出力プレート２４と連結部７４との間に介在されている。コイルスプリング６０における軸方向の一端部は、連結部７４の凸部７６に係合されており、コイルスプリング６０における軸方向の他端部は、出力プレート２４の凸部７８に係合されている。
【００２９】
このコイルスプリング６０は、圧縮状態又は自由状態で出力プレート２４と連結部７４との間に介在されている。図５に示されるように、出力プレート２４は、コイルスプリング６０によって出力ギア５６側に押圧されており、これにより、複数の係合部６８及び複数の被係合部７０は、通常、互いに係合されている。
【００３０】
そして、このクラッチ機構５４では、例えば、上述のスクリーン支持部材４４（図１，図２参照）等に外力が加えられるなどして出力プレート２４に予め設定された設定トルクを超えるトルクが作用した場合には、コイルスプリング６０の弾性力に抗して出力プレート２４が出力ギア５６に対して離間され、複数の係合部６８と複数の被係合部７０との係合状態が解除される。
【００３１】
同様に、例えば、上述のスクリーン支持部材４４やアーム１８（図１，図２参照）等が保持された状態で駆動モータ１４が駆動するなどして出力ギア５６に設定トルクを超えるトルクが作用した場合にも、コイルスプリング６０の弾性力に抗して出力プレート２４が出力ギア５６に対して離間され、複数の係合部６８と複数の被係合部７０との係合状態が解除される。
【００３２】
このクラッチ機構５４では、上述のようにコイルスプリング６０の弾性力に抗して出力プレート２４が出力ギア５６に対して離間されて複数の係合部６８と複数の被係合部７０との係合状態が解除されることにより、動力伝達が遮断される。
【００３３】
一方、クラッチ機構５４に設定トルクを超えるトルクが作用している状態が解除されると、コイルスプリング６０によって出力プレート２４が出力ギア５６側に押圧されて再び複数の係合部６８と複数の被係合部７０とが係合され、クラッチ機構５４が通常の動力伝達可能な状態に復帰される。このようにクラッチ機構５４が動力伝達可能な状態に復帰されると、上述の如く、駆動モータ１４によりスクリーン２２を電動で展開又は格納させることが可能となる。
【００３４】
なお、クラッチ機構５４における動力伝達を遮断するための閾値となる上述の設定トルクは、コイルスプリング６０の弾性力や、係合部６８及び被係合部７０における傾斜面の形状等により設定される。この設定トルクは、遮光装置１０の通常の動作において駆動モータ１４によりスクリーン２２が電動で展開又は格納される場合にクラッチ機構５４に作用するトルクよりも大きな値に設定される。
【００３５】
また、このクラッチ機構５４を介して駆動モータ１４と接続されるリンクロッド２６は、上述の如く、出力プレート２４における回転中心部よりも外側にずれた位置（つまり、出力プレート２４の長手方向両端部）に連結されており、出力プレート２４の往復回動に伴いスクリーン２２の横幅方向である矢印Ｗ方向に往復動される（図１，図２参照）。
【００３６】
ここで、このリンクロッド２６における出力プレート２４側の端部２６Ａは、出力プレート２４の往復回動に伴って矢印Ｗ方向に出力プレート２４とオーバーラップする状態（図４参照）と、出力プレート２４に対して矢印Ｗ方向にずれた状態（図３参照）とに変化される。また、このリンクロッド２６における出力プレート２４側の端部２６Ａには、湾曲部８０が形成されている。
【００３７】
湾曲部８０は、図４に示されるように、リンクロッド２６における出力プレート２４側の端部２６Ａが矢印Ｗ方向に出力プレート２４とオーバーラップする状態において、出力プレート２４の外周縁２４Ａに沿って配置されるようになっている。つまり、出力プレート２４の外周縁２４Ａは、出力プレート２４の回転中心部を中心にした円弧状に形成されており、湾曲部８０は、この円弧状に形成された出力プレート２４の外周縁２４Ａに沿って配置されるように湾曲して形成されている。
【００３８】
次に、本発明の一実施形態の作用及び効果について説明する。
【００３９】
以上詳述したように、本発明の一実施形態に係る遮光装置１０によれば、駆動モータ１４と駆動力伝達機構１６との間には、クラッチ機構５４が設けられており、このクラッチ機構５４では、出力プレート２４及び出力ギア５６の一方に設定トルクを超えるトルクが作用した場合に動力伝達が遮断される。従って、例えば、スクリーン２２やスクリーン支持部材４４等に一定以上の操作荷重が加えられた場合には、クラッチ機構５４が遮断されるので、スクリーン２２を手動で操作することができる。つまり、例えば、スクリーン２２を巻取状態や展開状態から手動で任意の位置にまで変位させることができる。
【００４０】
また、例えば、スクリーン２２やスクリーン支持部材４４やアーム１８等に不意に外力が加わったときでも、クラッチ機構５４が遮断されるので、例えば、アーム１８やリンクロッド２６等が変形したり、駆動モータ１４内のウォーム５０やウォームホイール５２等が破損したりすることを抑制することができる。
【００４１】
同様に、スクリーン２２やスクリーン支持部材４４やアーム１８等が保持された状態で、駆動モータ１４が駆動された場合においても、クラッチ機構５４が遮断される。従って、この場合においても、例えば、アーム１８やリンクロッド２６等が変形したり、駆動モータ１４内のウォーム５０やウォームホイール５２等が破損したりすることを抑制することができる。
【００４２】
ところで、この遮光装置１０では、図２に示される如くスクリーン２２が展開された時には、図４に示されるように、リンクロッド２６における出力プレート２４側の端部２６Ａがスクリーン２２の横幅方向である矢印Ｗ方向に出力プレート２４とオーバーラップする。
【００４３】
ここで、このリンクロッド２６における出力プレート２４側の端部２６Ａには、湾曲部８０が形成されている。この湾曲部８０は、リンクロッド２６における出力プレート２４側の端部２６Ａが矢印Ｗ方向に出力プレート２４とオーバーラップする状態において出力プレート２４の外周縁２４Ａに沿って配置されるように湾曲して形成されている。
【００４４】
従って、リンクロッド２６における出力プレート２４側の端部２６Ａが矢印Ｗ方向に出力プレート２４とオーバーラップする状態において、この端部２６Ａが出力プレート２４の径方向外側に張り出すことを抑制することができる。これにより、遮光装置１０の小型化を図ることができる。
【００４５】
次に、本発明の一実施形態の変形例について説明する。
【００４６】
上記実施形態において、係合部６８及び被係合部７０は、それぞれ三角形状に形成されていたが、その他にも、例えば矩形状や丸山状など三角形状以外の形状で形成されていても良い。
【００４７】
また、出力ギア５６は、ウォームホイール５２に一体に形成されていたが、ウォームホイール５２と別体とされてウォームホイール５２に一体的に組み付けられても良い。
【００４８】
また、クラッチ機構５４では、コイルスプリング６０によって出力プレート２４が出力ギア５６側に押圧されていた。しかしながら、例えば、出力ギア５６がウォームホイール５２と別体とされると共に出力ギア５６がウォームホイール５２に対して軸方向に変位可能且つ出力プレート２４に対して接離可能とされた上で、この出力ギア５６がバネ等の弾性部材によって出力プレート２４側に押圧されても良い。
【００４９】
以上、本発明の一実施形態について説明したが、本発明は、上記に限定されるものでなく、上記以外にも、その主旨を逸脱しない範囲内において種々変形して実施可能であることは勿論である。
【００５０】
次に、特許請求の範囲に記載された発明以外に、上記実施形態から把握できる技術的思想について、以下にその効果と共に記載する。
【００５１】
駆動モータと、
前記駆動モータによって往復回動される駆動部材と、
前記駆動部材とリンク機構を介して接続され、前記駆動モータの駆動力を受けて作動するアームと、
前記アームと接続され、前記アームの作動に伴って展開及び格納されるスクリーンとを備え、
前記リンク機構は、前記スクリーンの横幅方向に延びると共に、前記駆動部材における回転中心部よりも外側にずれた位置に連結され、前記駆動部材の往復回動に伴い前記スクリーンの横幅方向に往復動されるリンクロッドを有し、
前記リンクロッドにおける前記駆動部材側の端部は、前記駆動部材の往復回動に伴って前記スクリーンの横幅方向に前記駆動部材とオーバーラップする状態と前記駆動部材に対して前記スクリーンの横幅方向にずれた状態とに変化され、
前記リンクロッドにおける前記駆動部材側の端部には、該端部が前記スクリーンの横幅方向に前記駆動部材とオーバーラップする状態において前記駆動部材の外周縁に沿って配置される湾曲部が形成されている、
遮光装置。
【００５２】
この遮光装置によれば、リンクロッドにおける駆動部材側の端部には、湾曲部が形成されており、この湾曲部は、リンクロッドにおける駆動部材側の端部がスクリーンの横幅方向に駆動部材とオーバーラップする状態において駆動部材の外周縁に沿って配置される。従って、リンクロッドにおける駆動部材側の端部がスクリーンの横幅方向に駆動部材とオーバーラップする状態において、このリンクロッドにおける駆動部材側の端部が駆動部材の径方向外側に張り出すことを抑制することができる。これにより、遮光装置の小型化を図ることができる。
【符号の説明】
【００５３】
１０…遮光装置、１２…ベース部材、１４…駆動モータ、１６…駆動力伝達機構、１８…アーム、２０…巻取機構、２２…スクリーン、２４…出力プレート（駆動部材の一例）、２４Ａ…外周縁、２６…リンクロッド、２６Ａ…端部、２８…レバー、３０…アッパアーム、３２…ロアアーム、３４…ジョイント、３６…第一ブラケット、３８…第二ブラケット、４０…支持軸、４２…巻取部材、４４…スクリーン支持部材、４６…アシストスプリング、４８…モータ本体、５０…ウォーム、５２…ウォームホイール、５４…クラッチ機構、５６…出力ギア（出力部材の一例）、５８…カバープレート、６０…コイルスプリング（弾性部材の一例）、６２…出力軸、６４…モータブラケット、６６…孔部、６８…係合部、７０…被係合部、７２…脚部、７４…連結部、７６，７８…凸部、８０…湾曲部
【図１】
2015047922.tif 000003
【図２】
2015047922.tif 000004
【図３】
2015047922.tif 000005
【図４】
2015047922.tif 000006
【図５】
2015047922.tif 000007
【図６】
2015047922.tif 000008
【図７】
2015047922.tif 000009